(57)【特許請求の範囲】
【請求項１】
アグリゲータと契約した各需要家のリソースの稼働を制御することにより電力を創出する電力創出制御システムにおいて、
前記リソースの消費電力量を減少させることによりネガワットを創出し、又は、前記リソースの消費電力量を増加させることによりポジワットを創出する際の前記リソースの特性に関する情報、並びに、前記アグリゲータ及び対応する前記需要家との契約内容に関する情報が記述された、前記リソースごとのプロファイルと、消費電力量を低減又は増加させるための前記リソースの制御内容が記述された電力取引の形態ごとの制御シナリオと、を記憶する記憶デバイスと、
各前記リソースの前記プロファイルに基づいて、取引対象の電力商品の条件を満たす前記ネガワット又は前記ポジワットを創出できるように組み合わせた複数の前記リソースからなるリソースグループを生成するリソースグループ生成部と、
当該電力商品の取引形態に応じた前記制御シナリオを選択する制御シナリオ選択部と、
前記リソースグループ生成部により生成された前記リソースグループを構成する各前記リソースを、前記制御シナリオ選択部により選択された前記制御シナリオに従って制御する制御部と
を備え、
前記電力商品の条件は、
少なくとも前記電力商品の電力量でなる量と、前記電力商品を販売する時間帯の開始時刻と、当該開始時刻から電力量が当該量に到達するまでの時間でなるランプピリオドとを含み、
前記プロファイルには、
実際に消費電力量が低減又は増加し始めてから消費電力の低減量又は増加量が目標値に到達するまでの時間でなるランプピリオドが記述され、
前記リソースグループ生成部は、
各前記リソースの前記プロファイルに基づいて、前記リソースグループを生成する
ことを特徴とする電力創出制御システム。
【請求項２】
前記電力商品の条件は、
さらに前記開始時刻から当該開始時刻前に当該電力商品の買い手が行う予告までの時間でなる予告時間と、前記電力商品の継続時間とを含み、
前記プロファイルには、
さらに対応する前記リソースの特性に関する情報として、少なくとも当該リソースの稼働に対する制御を開始してから実際に消費電力が低減又は増加し始めるまでの時間でなるリードタイムと、当該リソースの稼働制御により低減又は増加される消費電力量でなる想定制御量とが記述され、
前記リソースグループ生成部は、
各前記リソースの前記プロファイルに基づいて、前記リソースグループを生成する
ことを特徴とする請求項１に記載の電力創出制御システム。
【請求項３】
前記プロファイルには、
前記アグリゲータ及び対応する前記需要家との契約内容に関する情報として、少なくとも前記アグリゲータが当該需要家との間で予め定めた対応する前記リソースの稼働を制御可能な時間帯でなる制御可能時間帯と、当該リソースの稼働を連続して制御可能な時間でなる制御継続可能時間とが記述され、
前記リソースグループ生成部は、
各前記リソースの前記プロファイルに基づいて、前記電力商品の時間帯に稼働を制御可能な前記リソースの中から複数の前記リソースを組み合せて前記リソースグループを生成する
ことを特徴とする請求項１又は２に記載の電力創出制御システム。
【請求項４】
前記プロファイルには、
前記アグリゲータ及び対応する前記需要家との契約内容に関する情報として、対応する前記リソースに対する稼働制御により創出された前記ネガワット又は前記ポジワットについて当該需要家に支払われる単位電力量当たりの価格が記述され、
前記リソースグループ生成部は、
前記電力商品の時間帯に稼働を制御可能な各前記リソースの前記プロファイルに基づいて、前記需要者に支払うべき実施料が安い前記リソースを優先的に組み合せて前記リソースグループを生成する
ことを特徴とする請求項３に記載の電力創出制御システム。
【請求項５】
前記制御部は、
前記制御シナリオに従って稼働制御した各前記リソース側からそれぞれ送信される当該稼働制御により創出された前記ネガワットの電力量に基づいて、そのとき創出した前記ネガワットの総量を算出し、
算出した前記ネガワットの総量と、前記電力商品の電力量とを比較し、
そのとき創出した前記ネガワットの総量が、当該電力商品の電力量と一致していないと判断した場合には、過剰分又は不足分の電力量を算出し、
算出した過剰分又は不足分の電力量分だけそのとき創出している前記ネガワットの総量を低減又は増加させるように、対応する前記リソースグループを構成する一部又は全部の前記リソースの稼働を制御する
ことを特徴とする請求項４に記載の電力創出制御システム。
【請求項６】
アグリゲータと契約した各需要家のリソースの稼働を制御することにより電力を創出する電力創出制御システムにおいて実行される電力創出制御方法であって、
前記電力創出制御システムは、
前記リソースの消費電力量を減少させることによりネガワットを創出し、又は、前記リソースの消費電力量を増加させることによりポジワットを創出する際の前記リソースの特性に関する情報、並びに、前記アグリゲータ及び対応する前記需要家との契約内容に関する情報が記述された、前記リソースごとのプロファイルと、消費電力量を低減又は増加させるための前記リソースの制御内容が記述された電力取引の形態ごとの制御シナリオと、を記憶する記憶デバイスを有し、
前記電力創出制御システムが、各前記リソースの前記プロファイルに基づいて、取引対象の電力商品の条件を満たす前記ネガワット又は前記ポジワットを創出できるように組み合わせた複数の前記リソースからなるリソースグループを生成すると共に、当該電力商品の取引形態に応じた前記制御シナリオを選択する第１のステップと、
前記電力創出制御システムが、生成した前記リソースグループを構成する各前記リソースを、選択した前記制御シナリオに従って制御する第２のステップと
を備え、
前記電力商品の条件は、
少なくとも前記電力商品の電力量でなる量と、前記電力商品を販売する時間帯の開始時刻と、当該開始時刻から電力量が当該量に到達するまでの時間でなるランプピリオドとを含み、
前記プロファイルには、
実際に消費電力量が低減又は増加し始めてから消費電力の低減量又は増加量が目標値に到達するまでの時間でなるランプピリオドが記述され、
前記第１のステップにおいて、前記電力創出制御システムは、
各前記リソースの前記プロファイルに基づいて、前記リソースグループを生成する
ことを特徴とする電力創出制御方法。
【請求項７】
前記電力商品の条件は、
さらに前記開始時刻から当該開始時刻前に当該電力商品の買い手が行う予告までの時間でなる予告時間と、前記電力商品の継続時間とを含み、
前記プロファイルには、
さらに対応する前記リソースの特性に関する情報として、少なくとも当該リソースの稼働に対する制御を開始してから実際に消費電力が低減又は増加し始めるまでの時間でなるリードタイムと、当該リソースの稼働制御により低減又は増加される消費電力量でなる想定制御量とが記述され、
前記第１のステップにおいて、前記電力創出制御システムは、
各前記リソースの前記プロファイルに基づいて、前記リソースグループを生成する
ことを特徴とする請求項６に記載の電力創出制御方法。
【請求項８】
前記プロファイルには、
前記アグリゲータ及び対応する前記需要家との契約内容に関する情報として、少なくとも前記アグリゲータが当該需要家との間で予め定めた対応する前記リソースの稼働を制御可能な時間帯でなる制御可能時間帯と、当該リソースの稼働を連続して制御可能な時間でなる制御継続可能時間とが記述され、
前記第１のステップにおいて、前記電力創出制御システムは、
各前記リソースの前記プロファイルに基づいて、前記電力商品の時間帯に稼働を制御可能な前記リソースの中から複数の前記リソースを組み合せて前記リソースグループを生成する
ことを特徴とする請求項６又は７に記載の電力創出制御方法。
【請求項９】
前記プロファイルには、
前記アグリゲータ及び対応する前記需要家との契約内容に関する情報として、対応する前記リソースに対する稼働制御により創出された前記ネガワット又は前記ポジワットについて当該需要家に支払われる単位電力量当たりの価格が記述され、
前記第１のステップにおいて、前記電力創出制御システムは、
前記電力商品の時間帯に稼働を制御可能な各前記リソースの前記プロファイルに基づいて、前記需要者に支払うべき実施料が安い前記リソースを優先的に組み合せて前記リソースグループを生成する
ことを特徴とする請求項８に記載の電力創出制御方法。
【請求項１０】
前記第２のステップにおいて、前記電力創出制御システムは、
前記制御シナリオに従って稼働制御した各前記リソース側からそれぞれ送信される当該稼働制御により創出された前記ネガワットの電力量に基づいて、そのとき創出した前記ネガワットの総量を算出し、
算出した前記ネガワットの総量と、前記電力商品の電力量とを比較し、
そのとき創出した前記ネガワットの総量が、当該電力商品の電力量と一致していないと判断した場合には、過剰分又は不足分の電力量を算出し、
算出した過剰分又は不足分の電力量分だけそのとき創出している前記ネガワットの総量を低減又は増加させるように、対応する前記リソースグループを構成する一部又は全部の前記リソースの稼働を制御する
ことを特徴とする請求項９に記載の電力創出制御方法。
【発明の詳細な説明】
【技術分野】
【０００１】
本発明は、電力創出制御システム及び方法に関し、例えば電力取引システムに適用して好適なものである。
【背景技術】
【０００２】
デマンドレスポンスは、卸市場価格の高騰時又は系統信頼性の低下時において、電気料金の変更又は報酬の支払いにより、需要家が電力の使用を一時的に抑制するよう電力消費パターンを変化させることを意味する。米国などの電力取引市場では、発電所で発電された電力のみならず、デマンドレスポンスによって創出されるネガワットと呼ばれる電力も取引されている。【０００３】
また近年では、小規模の需要家のネガワットをまとめ、電力会社や系統運用機関と取引するアグリゲータと呼ばれる業者が登場している。今後、再生エネルギーによる発電力の拡大により、電力需要バランスの不安定化や電力価格のボラティリティの拡大が懸念されており、その意味でもアグリゲータがまとめるネガワットの有効活用が期待されている。【０００４】
通常、アグリゲータは、ネガワットを創出するため、需要家や需要家を束ねる他のアグリゲータとデマンドレスポンスプログラムと呼ばれる契約を締結する。需要家がＤＲプログラムへの参加登録を完了したことを以って、アグリゲータがこれら需要家の設備を、ネガワットを創出するためのリソースとして利用することが可能となる。
【先行技術文献】
【特許文献】
【０００５】
【特許文献１】米国特許第７３３３８８０号明細書
【発明の概要】
【発明が解決しようとする課題】
【０００６】
ところで、通常、需要家の建物の状況や、地域、需要家が所有する設備の機種及び設置条件などによって、ネガワットの創出量や、ネガワットが創出されるまでの時間的な応答性、並びに、ネガワットの創出（消費電力量の削減）により生活に影響が出るまでの時間的な応答性が異なる。【０００７】
一方で、電力市場における電力の買い手の要求は様々であり、上述のような種々の特性を有する各需要家の設備をどのように利用して買い手の要求に合致したネガワットを創出するかという検討は非常に時間を有する煩雑な作業となる。【０００８】
従って、電力市場における様々な要求に応じたネガワットを短時間にかつ容易に創出し、電力市場に提供することができれば、再生エネルギーによる発電力の拡大に伴う電力需要バランスの不安定化や電力価格のボラティリティの拡大を抑制し得るものと考えられる。【０００９】
また、例えば風力発電や太陽光発電などは天候への依存性が高く、どの程度の電力を発電できるかを正確には予想できない。この場合において、風力発電や太陽光発電などにより発電された再生エネルギーの電力量が予想以上に多いときに、その状態を放置しておくことは、種々の障害の原因ともなり得る。【００１０】
従って、再生エネルギーの電力量が予想以上に多い場合に、例えば需要家の消費電力量を増加させるなどして、その余剰分の電力量を引き取るような電力商品を電力市場に提供できれば、再生エネルギーによる発電力の拡大に伴う電力需要バランスの不安定化や電力価格のボラティリティの拡大をより一層と抑制し得るものと考えられる。【００１１】
しかしながら、再生エネルギーの発電量は予測困難であり、上述のような電力商品を電力市場に提供するに際しても、時々刻々と変化する余剰分の電力量に応じた電力商品を迅速に提供できるような工夫が必要となる。【００１２】
本発明は以上の点を考慮してなされたもので、電力需要バランスの不安定化や電力価格のボラティリティの拡大を抑制し得る電力創出制御システム及び方法を提案しようとするものである。
【課題を解決するための手段】
【００１３】
かかる課題を解決するため本発明においては、アグリゲータと契約した各需要家のリソースの稼働を制御することにより電力を創出する電力創出制御システムにおいて、前記リソースの消費電力量を減少することによりネガワットを創出し、又は、前記リソースの消費電力量を減少することによりポジワットを創出する際の前記リソースの特性に関する情報、並びに、前記アグリゲータ及び対応する前記需要家との契約内容に関する情報が記述された、前記リソースごとのプロファイルと、消費電力量を低減又は増加させるための前記リソースの制御内容が記述された電力取引の形態ごとの制御シナリオと、を記憶する記憶デバイスと、各前記リソースの前記プロファイルに基づいて、取引対象の電力商品の条件を満たす前記ネガワット又は前記ポジワットを創出できるように組み合せた複数の前記リソースからなるリソースグループを生成するリソースグループ生成部と、当該電力商品の取引形態に応じた前記制御シナリオを選択する制御シナリオ選択部と、前記リソースグループ生成部により生成された前記リソースグループを構成する各前記リソースを、前記制御シナリオ選択部により選択された前記制御シナリオに従って制御する制御部とを設け、前記電力商品の条件は、少なくとも当該電力商品の電力量でなる量と、前記電力商品を販売する時間帯の開始時刻と、当該開始時刻から電力量が当該量に到達するまでの時間でなるランプピリオドとを含み、前記プロファイルには、実際に消費電力量が低減又は増加し始めてから消費電力の低減量又は増加量が目標値に到達するまでの時間でなるランプピリオドが記述され、前記リソースグループ生成部は、各前記リソースの前記プロファイルに基づいて、前記リソースグループを生成するようにした。【００１４】
また本発明においては、アグリゲータと契約した各需要家のリソースの稼働を制御することにより電力を創出する電力創出制御システムにおいて実行される電力創出制御方法であって、前記電力創出制御システムは、前記リソースの消費電力量を減少させることによりネガワットを創出し、又は、前記リソースの消費電力量を増加させることによりポジワットを創出する際の前記リソースの特性に関する情報、並びに、前記アグリゲータ及び対応する前記需要家との契約内容に関する情報が記述された、前記リソースごとのプロファイルと、消費電力量を低減又は増加させるための前記リソースの制御内容が記述された電力取引の形態ごとの制御シナリオと、を記憶する記憶デバイスを有し、前記電力創出制御システムが、各前記リソースの前記プロファイルに基づいて、取引対象の電力商品の条件を満たす前記ネガワット又は前記ポジワットを創出できるように組み合わせた複数の前記リソースからなるリソースグループを生成すると共に、当該電力商品の取引形態に応じた前記制御シナリオを選択する第１のステップと、前記電力創出制御システムが、生成した前記リソースグループを構成する各前記リソースを、選択した前記制御シナリオに従って制御する第２のステップとを設け、前記電力商品の条件は、少なくとも前記電力商品の電力量でなる量と、前記電力商品を販売する時間帯の開始時刻と、当該開始時刻から電力量が当該量に到達するまでの時間でなるランプピリオドとを含み、前記プロファイルには、実際に消費電力量が低減又は増加し始めてから消費電力の低減量又は増加量が目標値に到達するまでの時間でなるランプピリオドが記述され、前記第１のステップにおいて、前記電力創出制御システムは、各前記リソースの前記プロファイルに基づいて、前記リソースグループを生成するようにした。
【発明の効果】
【００１５】
本発明によれば、電力市場における様々な要求に応じたネガワット又は前記ポジワットを短時間にかつ容易に創出して電力市場に提供することができ、かくして電力需要バランスの不安定化や電力価格のボラティリティの拡大を抑制し得る電力創出制御システム及び方法を実現できる。
【図面の簡単な説明】
【００１６】
【図１】本実施の形態による電力取引システムの全体構成を示すブロック図である。
【図２】ＨＰ給湯システム及びＣＨＰシステムの構成を簡略的に示す簡略図である。
【図３】リソース管理装置の構成を示すブロック図である。
【図４】ＥＭＳ統括装置の構成を示すブロック図である。
【図５】電力小売装置の構成を示すブロック図である。
【図６】配電管理装置の構成を示すブロック図である。
【図７】電力中央指令装置の構成を示すブロック図である。
【図８】電力市場装置の構成を示すブロック図である。
【図９】ＥＭＳの構成を示すブロック図である。
【図１０】リソースプロファイルの構成を示す概念図である。
【図１１】制御シナリオの構成例を示すプログラムリストである。
【図１２】電力商品プロファイルの構成を示す概念図である。
【図１３】電力商品プロファイルの説明に供する概念図である。
【図１４】ネガワット創出制御に関するリソース管理装置及びＥＭＳ統括装置の機能構成を示すブロック図である。
【図１５Ａ】リソースグループ生成処理の処理手順を示すフローチャートである。
【図１５Ｂ】リソースグループ生成処理の処理手順を示すフローチャートである。
【図１６】アグリゲータ及び中給事業者間のネガワットの取引の流れを示すタグチャートである。
【図１７】アグリゲータ及び電力小売業者間のネガワットの取引の流れを示すタグチャートである。
【図１８】アグリゲータ及び配電管理業者間のネガワットの取引の流れを示すタグチャートである。
【発明を実施するための形態】
【００１７】
以下図面について、本発明の一実施の形態を詳述する。
【００１８】
（１）電力取引の概要
まず、以下の説明に必要な背景知識である電力取引市場について説明する。
電力取引市場（以下、これを市場と呼ぶ）は、電力の需要と供給をマッチする場である。翌日受け渡す電気を取引するスポット市場、翌日よりも後に受け渡す電気を取引する先物市場や先渡し市場、当日受け渡す電気を取引するインバランス市場などがある。
【００１９】
市場においては、１日に受け渡される電気を、例えば30分ごとの時間（以下、これをコマと呼ぶ）に区分して、48コマのそれぞれについて取引を行う。市場参加者は、１又は複数のコマに対して価格と量とを指定し、電力の売り又は買いの入札を行う。売り又は買いの入札は、ザラバ方式や板寄せ方式によりマッチされて約定する。約定することにより、反対売買が行われない限り、電力の売り手は受渡し期間中に約定した量の電気を供給し、電力の買い手は約定した量に約定した価格を掛けた代金を売り手に払う義務が生じる。
【００２０】
市場で約定する価格（以下、これを電力価格と呼ぶ）は、電力の需要及び供給の状況により時々刻々と変動する。通常は、平日昼間の時間帯が高く、休日や夜間は安い。また冷房や暖房の需要の大きな真夏や真冬は電力価格が高くなる。発電に必要な石油や石炭や天然ガスの値段が高騰した場合も電力価格は高くなる。発電所の急なメンテナンスや事故などの場合にも電力価格は高くなる。また風力発電や太陽光発電の割合が大きい場合、風の強さや天候の予測に応じて電力価格が動く。
【００２１】
このような電力価格の変動に対処するために、デマンドレスポンスにより創出されるネガワットが注目されている。一例として、ある需要家が長期契約で電力を購入しているとし、ある日、強烈な寒波により翌日の需要急増が予測されて、翌日受渡しの電力価格が暴騰したとする。このとき長期契約を締結している需要家は契約価格で電力を購入できるが、例えばエアコンに代えて石油ストーブを使用することで契約している電力量（以下、これを契約電気量と呼ぶ）よりも電力消費量を低く抑えることができる。このようにして得られた契約電気量と電力消費量との差分であるネガワットは市場において高値で売却することができ、これにより需要家が大きな利益を得ることができる。このような需要家が増えることで、需給バランスが改善され、電力価格の上昇をある程度抑えることができる。
【００２２】
また別の例として、給湯タンク付きヒートポンプ温水システム（以下、これをＨＰ給湯システムと呼ぶ）を持つ需要家がいるとする。ＨＰ給湯システムは蓄熱機能を持つため、利便性を損なうことなく、ある程度の稼働時間の調整が可能である。通常は、電力価格の安い夜間にＨＰ給湯システムを稼働し、昼間の給湯の需要に備えている。例えば、ある日、翌日の昼間の強風が予想されて翌日の昼間に受け渡しの電力価格が暴落したとする。このとき需要家は、その日の夜間のＨＰ給湯システムの稼働を抑制し（抑制した分の電力を売却し）、電力価格が暴落している翌日の昼間の時間帯にＨＰ給湯システムを稼働させる（稼働させる分の電力を購入する）ことで、より安く電力を調達することができる。また更に、翌日の夜間の稼働分の電力を、翌日の昼間に調達することもできる。また逆に、発電所の急なメンテナンスなどにより、翌日の昼間の電力価格が暴騰した場合は、稼働時間の調整により、高い電力で調達することを避けることができる。
【００２３】
まとめると、元々ＨＰ給湯システムを稼働させるはずであった時間帯の電力価格が他の時間帯の電力価格よりも高い場合、元々の稼働させるはずだった時間帯の稼働を抑制し、電力価格が安い時間帯に稼働させることで、電力の調達を有利にすることができる。ここで、抑制の時間帯と稼働の時間帯とはどちらが先であっても良い。このような、市場メカニズムに基づくネガワットの売買が活発化することにより、結果的に市場価格の安定化が実現できると考えられる。
【００２４】
一般的には、需要家が直接市場とやり取りするのではなく、需要家をまとめるアグリゲータが、日々の電力価格に応じて上述のような売買を行い、需要家の電気機器を直接的に、又は、（需要家に連絡して）間接的に制御する。アグリゲータは自ら利益を得ると共に、需要家には報酬を支払う。
【００２５】
このようなネガワットの売買を適切に実現するためには、アグリゲータは買い手側の様々な要求に応じた形態のネガワットを創出できるようにすることが重要である。そこで、本発明では、買い手側の様々な要求に応じた形態のネガワットを創出するための制御方式を提案する。以下、このような本発明を適用した電力取引システムの詳細について説明する。
【００２６】
（２）本実施の形態による電力取引システムの構成
図１において、１は全体として本実施の形態による電力取引システムを示す。この電力取引システム１は、アグリゲータ２が所有するリソース管理装置３及びＥＭＳ（Energy Management System）統括装置４と、電力小売業者５が所有する電力小売装置６と、配電管理業者７が所有する配電管理装置８と、中給事業者（TSO：Transmission system operator）９が所有する電力中央指令装置１０と、電力市場会社１１が保有する電力市場装置１２とがネットワークＮＷを介して相互に接続され、電力中央指令装置１０が発電事業者１３の発電装置１４に接続されて構成されている。
【００２７】
ここで、発電事業者１３は、発電を行う事業者であり、中給事業者９は、発電事業者１３の発電装置１４により発電された電力の送電を行う事業者である。アグリゲータ２及び電力小売業者５は、電力市場において電力の買い入札を行い、購入した電力を契約需要家に提供する事業者であり、配電管理業者７は、配電線（以下、電線と呼ぶ）の保守管理を行う事業者である。
【００２８】
アグリゲータ２、電力小売業者５及び配電管理業者７及び中給事業者９は、それぞれ自己が所有するリソース管理装置３、電力小売装置６、配電管理装置８又は電力中央指令装置１０を用いて電力市場装置１２にアクセスし、電力市場装置１２が提供する電力市場において電力商品の売り入札や買い入札を行う。例えば、電力中央指令装置１０は、発電事業者１３により発電される電力を電力市場において売り入札する一方、中給事業者９が所有する送電網の電圧を監視し、需要増加等により当該送電網の電圧が既定値よりも低くなった場合には、電力市場に対して買い入札を行う。
【００２９】
電力市場装置１２は、リソース管理装置３、電力小売装置６、配電管理装置８又は電力中央指令装置１０を介して行われた電力商品の売り入札及び買い入札をコマごとにマッチングし、電力取引を約定させる。また電力市場装置１２は、かかる約定の内容を約定データとして対応するリソース管理装置３、電力小売装置６、配電管理装置８及び又は電力中央指令装置１０に送信する。そして電力中央指令装置１０は、かかる約定データに従って発電装置１４を制御することにより、約定に従った量の電力を発電させる。
【００３０】
発電装置１４により発電された電気は、超高圧（基準電圧77kV）の超高圧系統１５に送電される。そして、超高圧系統１５に送電された電気は、変電所１６において高圧（基準電圧6.6kV）に降圧されて高圧系統１７に送電され、さらに柱上変圧器１８により低圧（基準電圧200V）に降圧されて低圧配電線１９に送電される。なお、基準電圧6.6kVの電気は、工業用需要家２０Ａ及びマンション用需要家２０Ｂに送電されて消費され、基準電圧200Vの電気は、低圧発電線２１を介して商業用需要家２０Ｃ及び家庭用需要家２０Ｄに送電されて消費される。この際、工業用需要家２０Ａ、マンション用需要家２０Ｂ、商業用需要家２０Ｃ及び家庭用需要家２０Ｄ（以下、適宜、これらをまとめて需要家２０と呼ぶ）における消費電気量（受電量）は、各需要家２０側にそれぞれ設置された電気メータ２２Ａ〜２２Ｄにより計量される。
【００３１】
各需要家２０側では、その需要家２０側に設置された熱源機２３Ａ〜２３ＤがＥＭＳ２４Ａ〜２４Ｄにより制御される。なお、以下においては、需要家２０Ａ，２０Ｂ側にはＨＰ給湯システムが設置され、需要家２０Ｃ，２０Ｄ側には給湯タンク付き熱電併合システム（以下、これをＣＨＰ（Combined Heat and Pump）システムと呼ぶ）が設置されているものとする。従って、需要家２０側に設置された熱源機２３Ａ，２３Ｂはヒートポンプであり、需要家２０Ｃ，２０Ｄ側に設置された熱源機２３Ｃ，２３ＤはＣＨＰである。
【００３２】
ヒートポンプは、ＥＭＳ２２Ａ，２２Ｂの制御に従って稼働を開始又は停止しながら、供給される電気により熱を発生させて水道水を加熱する。そして、この加熱により得られた温水が給湯タンク２５Ａ，２５Ｂに蓄えられる。同様に、ＣＨＰは、ＥＭＳ２２Ｃ，２２Ｄの制御に従って稼働を開始若しくは停止しながら、図示しないガス事業者から供給されるガスにより電気と熱を同時に発生させる。そしてこのとき発生された電気が電気機器に供給されると共に、このとき発生された熱により水道水が加熱され、この加熱により得られた温水が給湯タンク２５Ｄに蓄えられる。
【００３３】
なお需要家２０側に設置されるＨＰ給湯システムやＣＨＰシステムの概略構成を図２に示す。ＨＰ給湯システム／ＣＨＰシステム３０は、ＥＭＳ２４Ａ〜２４Ｄ、熱源機２３Ａ〜２３Ｄ及び給湯タンク２５Ａ〜２５Ｄから構成される。
【００３４】
上述のように、熱源機２３Ａ〜２３Ｄにより水道水を加熱することにより得られた温水は給湯タンク２５Ａ〜２５Ｄに蓄えられる。そして、この給湯タンク２５Ａ〜２５Ｄに蓄えられた温水は、台所や洗面所の蛇口３１やシャワー設備３２に供給されて生活用水として利用されるほか、床暖房設備３３に供給されて床暖房の熱源としても利用される。
【００３５】
またＥＭＳ２４Ａ〜２４Ｄは、給湯タンク２５Ａ〜２５Ｄに設けられた温度センサ３４のセンサ出力や、給湯タンクに設けられた水温・水位センサ（図示せず）のセンサ出力を常時監視し、必要に応じて熱源機２３Ａ〜２３Ｄを稼働又は稼働停止させることにより、給湯タンク２５Ａ〜２５Ｄ内に常に一定温度の温水が一定量蓄えられているように、その需要家２０のＨＰ給湯システム／ＣＨＰシステム３０全体を制御する。
【００３６】
一方、アグリゲータ２は、ＥＭＳ統括装置４によりデマンドレスポンスプログラムの参加登録を行った各需要家２０のＥＭＳ２２Ａ〜２２Ｄを必要に応じて制御し、熱源機２３Ａ〜２３Ｄの稼働率や床暖房設備３３に供給される温水の流量を調整するバルブをステッピングモータ等で操作して流量を低減させたり、熱源機２３の稼働を停止させることにより、その需要家２０の消費電力量を低減させてネガワットを創出することができる。ＥＭＳ２４Ａ〜２４ＤはＨＥＭＳと呼ばれる装置であり、特に本実施形態ではコントローラ（制御器）の機能を備えている。熱原機２３Ａ〜２３Ｄが内部に稼動状態を制御するコントローラ（制御器）を備えていて、ＥＭＳ２４Ａ〜２４Ｄが熱源機内のコントローラ（制御器）に対して制御目標値を指示するようにして制御を実現しても良いことは言うまでもない。
【００３７】
そして、アグリゲータ２は、このようにして創出されるネガワットを電力商品として電力市場に売り入札し、又は、電力小売業者５や中給事業者９などからの買い入札に応札して、かかるネガワットを電力商品として販売する。
【００３８】
またアグリゲータ２は、ＥＭＳ統括装置４によりデマンドレスポンスプログラムの参加登録を行った各需要家２０のＥＭＳ２２Ａ〜２２Ｄを必要に応じて制御し、熱源機２３Ａ〜２３Ｄの稼働率や床暖房設備３３に供給される温水の流量を増加させたり、停止している熱源機２３の稼働を開始させることにより、その需要家２０の消費電力量を増加させることができる。
【００３９】
そしてアグリゲータ２は、例えば発電事業者１３が有する風力発電機などにより予想以上に多くの電力が発電されたときに、中給事業者９に対して上述のようにして意図的に創出した消費電力（以下、これをポジワットと呼ぶ）を、電力商品として販売する。
【００４０】
図３は、リソース管理装置３の具体的な構成例を示す。このリソース管理装置３は、内部バス４０を介して相互に接続されたＣＰＵ４１、メインメモリ４２、記憶装置４３、入出力インタフェース４４及びネットワークインタフェース４５を備えて構成される。
【００４１】
ＣＰＵ４１は、リソース管理装置３全体の動作制御を司るプロセッサである。またメインメモリ４２は、ＣＰＵ４１のワークメモリとして利用される。記憶装置４３は、ハードディスク装置などの大容量の記憶デバイスから構成され、各種プログラムや各種情報が格納される。リソース管理装置３の起動時や各処理時に必要なプログラムが記憶装置４３からメインメモリ４２に読み出され、このプログラムをＣＰＵ４１が実行することにより、リソース管理装置３全体としての各種処理が行われる。
【００４２】
入出力インタフェース４４は、リソース管理装置３のユーザに対するインタフェースであり、キーボード４６、ディスプレイ４７及び外部通信端子４８から構成される。ディスプレイ４７は、例えば液晶パネルなどから構成され、外部通信端子４８は、所定の通信規格に準拠したシリアルポートなどから構成される。
【００４３】
またネットワークインタフェース４５は、リソース管理装置３をネットワークＮＷに接続するためのインタフェースであり、例えばＮＩＣ（Network Interface Card）などから構成される。リソース管理装置３は、このネットワークインタフェース４５を介してＥＭＳ統括装置４や電力市場装置１２などのネットワークＮＷに接続された他のコンピュータ装置との通信を行う。
【００４４】
本実施の形態の場合、リソース管理装置３の記憶装置４３には、プログラムとして、市場取引処理プログラム５０、リソースグループ生成プログラム５１及び制御シナリオ選択プログラム５２が格納され、データとして、１又は複数のリソースプロファイル５３、１又は複数の制御シナリオ５４及び１又は複数の電力商品プロファイル５５が格納される。
【００４５】
市場取引処理プログラム５０は、電力市場装置１２にアクセスして電力市場に対する売り入札や買い入札を行う機能を有するプログラムである。またリソースグループ生成プログラム５１は、各需要家２０の設備をリソースとして、これらのリソースをグループ化する機能を有するプログラムであり、制御シナリオ選択プログラム５２は、対応する電力取引の形態に応じた制御シナリオ５４を選択する機能を有するプログラムである。
【００４６】
なお、電力取引の形態としては、例えば、電力量（30分を１コマとして１コマ当たりに供給するkWh）及び時間帯等の電力商品の条件を予めすべて定めて売買する形態や、常に存在する待機電力の一部又は全部を量及び時間帯を指定して売買する形態などがある。前者の場合、アグリゲータ２は、電力商品を受け渡す時間帯にのみ取引した電力商品に合致したネガワット又はポジワットを創出し、後者の場合、アグリゲータ２は、創出可能な量のネガワットを常に創出して電力市場で売り出すことになる。
【００４７】
リソースプロファイル５３は、リソースの特性に関する情報と、そのリソースに関してアグリゲータ２（図１）及び需要家２０（図１）間で締結したデマンドレスポンスプログラムの契約に関する情報となどが記述されたメタデータである。このリソースプロファイル５３は、アグリゲータ２が契約を締結した需要家２０のリソースごとに作成される。制御シナリオ５４は、リソースの稼働を制御（消費電力量を減少又は増加）してネガワット又はポジワットを創出するためにリソースをどのように制御すべきかといった、ネガワット又はポジワット創出のためのリソースの制御内容が記述されたメタデータである。この制御シナリオ５４は、電力取引の形態ごとに予め作成される。また電力商品プロファイル５５は、アグリゲータ２が電力市場に売り入札する電力商品の内容が記述されたメタデータである。これらリソースプロファイル５３、制御シナリオ５４及び電力商品プロファイル５５の詳細については後述する。
【００４８】
図４は、ＥＭＳ統括装置４の具体的な構成例を示す。ＥＭＳ統括装置４は、内部バス６０を介して相互に接続されたＣＰＵ６１、メインメモリ６２、記憶装置６３、入力インタフェース６４及びネットワークインタフェース６５を備えて構成される。これらＣＰＵ６１、メインメモリ６２、記憶装置６３、入力インタフェース６４及びネットワークインタフェース６５の構成及び機能は、リソース管理装置３（図３）の対応部位と同様であるため、ここでの説明は省略する。
【００４９】
ＥＭＳ統括装置４の記憶装置６３には、制御条件受信プログラム６６、制御権確立プログラム６７及び制御指令プログラム６８が格納される。制御条件受信プログラム６６は、後述のようにリソース管理装置３から送信されるリソースグループ情報や制御シナリオ５４（図３）のデータなどを受信する機能を有するプログラムであり、制御権確立プログラム６７は、必要なリソースと通信し、そのリソースの制御権を確立する機能を有するプログラムである。また制御指令プログラム６８は、受信したリソースグループ情報や制御シナリオ５４のデータに基づいて必要な制御指令を対応するリソースのＥＭＳ２４Ａ〜２４Ｄに送信することにより、そのリソースの稼働を制御する機能を有するプログラムである。
【００５０】
図５は、電力小売装置６の具体的な構成例を示す。電力小売装置６は、内部バス７０を介して相互に接続されたＣＰＵ７１、メインメモリ７２、記憶装置７３、入力インタフェース７４及びネットワークインタフェース７５を備えて構成される。これらＣＰＵ７１、メインメモリ７２、記憶装置７３、入力インタフェース７４及びネットワークインタフェース７５の構成及び機能は、リソース管理装置３（図３）の対応部位と同様であるため、ここでの説明は省略する。
【００５１】
電力小売装置６の記憶装置７３には、需要予測プログラム７６、確保容量不足量算定プログラム７７、年間最大需要日推定プログラム７８及びネガワット調達プログラム７９が格納される。需要予測プログラム７６は、天候情報や過去の統計などに基づいて、電力を提供すべき需要家２０全体のコマごとの需要電力量を予測する機能を有するプログラムである。また確保容量不足量算定プログラム７７は、需要予測プログラム７６により算出されたコマごとの需要電力量に対する、現在確保している電力量の不足分を算定する機能を有するプログラムである。さらに年間最大需要日推定プログラム７８は、天候情報及び過去の統計などに基づいて年間を通して電力需要が最大となる日を推定する機能を有するプログラムである。そして、ネガワット調達部は、電力市場に買い入札を行うことにより、確保容量不足量算定プログラム７７により算定された不足電力をコマ単位で調達する機能を有するプログラムである。
【００５２】
図６は、配電管理装置８の具体的な構成例を示す。配電管理装置８は、内部バス８０を介して相互に接続されたＣＰＵ８１、メインメモリ８２、記憶装置８３、入力インタフェース８４及びネットワークインタフェース８５を備えて構成される。これらＣＰＵ８１、メインメモリ８２、記憶装置８３、入力インタフェース８４及びネットワークインタフェース８５の構成及び機能は、リソース管理装置３（図３）の対応部位と同様であるため、ここでの説明は省略する。
【００５３】
配電管理装置８の記憶装置８３には、電線容量記録プログラム８６、電線電流量推定プログラム８７、電線容量超過検出プログラム８８及びネガワット調達プログラム８９が格納される。電線容量記録プログラム８６は、地域ごとの電線の容量を図示しないテーブルに記録する機能を有するプログラムであり、電線電流量推定プログラム８７は、電線を流れる電流量を地域ごとに推定する機能を有するプログラムである。また電線容量超過検出プログラム８８は、電線を流れる電流量がその電線の容量を超過しているか否かを検出する機能を有するプログラムであり、ネガワット調達プログラム８９は、電線容量超過検出プログラム８８により電線を流れる電流量がその電線の容量を超過していると判定された地域について、超過分の電流量（電力）を電力市場で買い入札を行う機能を有するプログラムである。
【００５４】
図７は、電力中央指令装置１０の具体的な構成例を示す。電力中央指令装置１０は、内部バス９０を介して相互に接続されたＣＰＵ９１、メインメモリ９２、記憶装置９３、入力インタフェース９４及びネットワークインタフェース９５を備えて構成される。これらＣＰＵ９１、メインメモリ９２、記憶装置９３、入力インタフェース９４及びネットワークインタフェース９５の構成及び機能は、リソース管理装置３（図３）の対応部位と同様であるため、ここでの説明は省略する。
【００５５】
電力中央指令装置１０の記憶装置９３には、供給予備率予測プログラム９６及び市場電力調達プログラム９７が格納される。供給予備率予測プログラム９６は、天候情報や過去の統計情報などに基づいてコマごとの供給予備率を予測する機能を有するプログラムである。通常、中給事業者９（図１）は、電力需要が増加した場合に備えて、電力小売業者５（図１）やアグリゲータ２（図１）との間の約定により定まる総電力量（以下、これを総約定電力と呼ぶ）よりも余剰分の電力（以下、これを予備電力と呼ぶ）を発電するよう発電事業者１３の発電装置１４を制御する。供給予備率とは、総約定電力に対する予備電力の比率をいう。また市場電力調達プログラム９７は、供給予備率が予め定められた閾値を下回った場合に、電力市場に買い入札を行い、不足分電力分の電力を調達する機能を有するプログラムである。
【００５６】
図８は、電力市場装置１２の具体的な構成例を示す。電力市場装置１２は、内部バス１００を介して相互に接続されたＣＰＵ１０１、メインメモリ１０２、記憶装置１０３、入力インタフェース１０４及びネットワークインタフェース１０５を備えて構成される。これらＣＰＵ１０１、メインメモリ１０２、記憶装置１０３、入力インタフェース１０４及びネットワークインタフェース１０５の構成及び機能は、リソース管理装置３（図３）の対応部位と同様であるため、ここでの説明は省略する。
【００５７】
電力市場装置１２の記憶装置１０３には、売買受付けプログラム１０６、約定決定プログラム１０７及び約定データ送信プログラム１０８が格納される。売買受付けプログラム１０６は、リソース管理装置３（図１）、電力小売装置６（図１）、配電管理装置８（図１）及び電力中央指令装置１０（図１）により行われる売り入札や買い入札を受け付ける機能を有するプログラムである。また約定決定プログラム１０７は、電力の売り入札や買い入札をザバラ方式又は板寄せ方式などによりマッチングするする機能を有するプログラムである。さらに約定データ送信プログラム１０８は、約定決定プログラム１０７により約定された電力取引の約定内容を約定データとしてその電力取引を行ったリソース管理装置３、電力小売装置６、配電管理装置８及び又は電力中央指令装置１０に送信する機能を有するプログラムである。
【００５８】
図９は、各需要家２０側に設置されるＥＭＳ２４Ａ〜２４Ｄの具体的な構成例を示す。図９において上段は、設備（リソース）としてＨＰ給湯システムが設置された需要家２０に対して設置されるＥＭＳ２４Ａ，２４Ｂの構成例である。
【００５９】
このＥＭＳ２４Ａ，２４Ｂは、内部バス１１０Ａを介して相互に接続されたＣＰＵ１１１Ａ、メインメモリ１１２Ａ、記憶装置１１３Ａ、入力インタフェース１１４Ａ及びネットワークインタフェース１１５Ａを備えて構成される。これらＣＰＵ１１１Ａ、メインメモリ１１２Ａ、記憶装置１１３Ａ、入力インタフェース１１４Ａ及びネットワークインタフェース１１５Ａの構成及び機能は、リソース管理装置３（図３）の対応部位と同様であるため、ここでの説明は省略する。
【００６０】
かかるＥＭＳ２４Ａ，２４Ｂの記憶装置１１３Ａには、制御指令受信プログラム１１６Ａ、ＨＰ制御パラメータ変更プログラム１１７Ａ及びＨＰ稼働指示プログラム１１８Ａが格納される。このうち制御指令受信プログラム１１６Ａは、上述のようにＥＭＳ統括装置４の制御指令プログラム６８（図４）から送信される制御指令を受信する機能を有するプログラムである。
【００６１】
またＨＰ制御パラメータ変更プログラム１１７Ａは、制御指令受信プログラム１１６Ａが受信した制御指示に従って、必要に応じてヒートポンプの制御パラメータや、床暖房設備３３（図２）に供給される温水の流量を調整するための制御パラメータを変更する機能を有するプログラムである。ヒートポンプや床暖房設備３３の制御パラメータを変更することにより、ヒートポンプの稼働率（そのリソースの稼働率）や床暖房設備３３に供給される温水の流量を増加又は低減させることができる。さらにＨＰ稼働指示プログラム１１８Ａは、制御指令受信プログラム１１６Ａが受信した制御指示に従って、必要に応じてヒートポンプの稼働を停止又は再開させる機能を有するプログラムである。
【００６２】
また図９において下段は、設備（リソース）としてＣＨＰシステムが設置された需要家２０に対して設置されるＥＭＳ２４Ｃ，２４Ｄの構成例である。
【００６３】
このＥＭＳ２４Ｃ，２４Ｄは、内部バス１１０Ｂを介して相互に接続されたＣＰＵ１１１Ｂ、メインメモリ１１２Ｂ、記憶装置１１３Ｂ、入力インタフェース１１４Ｂ及びネットワークインタフェース１１５Ｂを備えて構成される。これらＣＰＵ１１１Ｂ、メインメモリ１１２Ｂ、記憶装置１１３Ｂ、入力インタフェース１１４Ｂ及びネットワークインタフェース１１５Ｂの構成及び機能は、リソース管理装置３（図３）の対応部位と同様であるため、ここでの説明は省略する。
【００６４】
かかるＥＭＳ２４Ｃ，２４Ｄの記憶装置１１３Ｂには、制御指令受信プログラム１１６Ｂ、ＣＨＰ制御パラメータ変更プログラム１１７Ｂ及びＣＨＰ稼働指示プログラム１１８Ｂが格納される。このうち制御指令受信プログラム１１６Ｂは、上述のようにＥＭＳ統括装置４の制御指令プログラム６８（図４）から送信される制御指令を受信する機能を有するプログラムである。
【００６５】
またＣＨＰ制御パラメータ変更プログラム１１７Ｂは、制御指令受信プログラム１１６Ｂが受信した制御指示に従って、必要に応じてＣＨＰの制御パラメータや、床暖房設備３３（図２）に供給される温水の流量を調整するための制御パラメータを変更する機能を有するプログラムである。ＣＨＰや床暖房設備３３の制御パラメータを変更することにより、ＣＨＰの稼働率（そのリソースの稼働率）や床暖房設備３３に供給される温水の流量を増加又は低減させることができる。さらにＣＨＰ稼働指示プログラム１１８Ｂは、制御指令受信プログラム１１６Ｂが受信した制御指示に従って、必要に応じてＣＨＰの稼働を停止又は再開させる機能を有するプログラムである。
【００６６】
なお、以下においては、設備（リソース）がＨＰ給湯システムであるか又はＣＨＰシステムであるかを特に区別する必要がない場合には、ＨＰ給湯システム用のＥＭＳ２４Ａ，２４Ｂと、ＣＨＰシステム用のＥＭＳ２４Ｃ，２４ＤとをまとめてＥＭＳ２４と呼ぶものとする。
【００６７】
図１０は、リソース管理装置３の記憶装置４３（図３）に保持されるリソースプロファイル５３の構成例を示す。リソースプロファイル５３は、リードタイム、ランプピリオド、想定制御量、場所及びタイプ・機種といった、対応するリソース（ここではＨＰ給湯システム又はＣＨＰシステム）の特性に関する情報Ｄ１〜Ｄ５と、制御可能時間帯、制御継続可能時間、実施料及び予約料金といった、そのリソースの稼働を制御してネガワット又はポジワットを創出することに関連してアグリゲータ２（図１）及び需要家２０（図１）間で締結したデマンドレスポンスプログラムの契約内容に関する情報Ｄ６〜Ｄ９とを含む。
【００６８】
このうちリードタイム（情報Ｄ１）は、対応するリソースの稼働に対する制御を開始してから実際に消費電力量が低減又は増加し始めるまでの時間（制御を開始してから実際にネガワット又はポジワットが創出され始めるまでの時間）を表し、ランプピリオド（情報Ｄ２）は、実際に消費電力量が低減又は増加し始めてから消費電力の低減量（ネガワットの創出量）又は増加量（ポジワットの創出量）が目標値に到達するまでの時間を表す。
【００６９】
また想定制御量（情報Ｄ３）は、対応するリソースの稼働制御により低減又は増加される消費電力量（創出されるネガワット又はポジワットの量）を表す。さらに場所（情報Ｄ４）は、そのリソースが設置された場所を表し、例えば、住所、緯度及び経度、そのリソースに電気を供給する変電所の識別子、そのリソースに電気を供給する電柱の識別子、そのリソースに電気を供給する電線の識別子などが適用される。さらにタイプ・機種（情報Ｄ５）は、そのリソースのタイプや機種を表す。
【００７０】
制御可能時間帯（情報Ｄ６）は、アグリゲータ２がそのリソースの所有者である需要家２０との間で予め定めたそのリソースの稼働を制御可能な時間帯を表す。また制御継続可能時間（情報Ｄ７）は、そのリソースの稼働を連続して制御可能な時間を表す。この制御継続可能時間は、リソースのタイプや機種に応じて予め決定される。
【００７１】
実施料（情報Ｄ８）は、リソースに対する上述の稼働制御により創出されたネガワット又はポジワットについて需要家２０に支払われる単位電力量当たりの価格を表し、予約料金（情報Ｄ９）は、かかるリソースの稼働制御が行われるごとにその需要家２０に支払われる基本料金を表す。
【００７２】
一方、図１１は、上述のようにリソース管理装置３の記憶装置４３（図３）に保持される制御シナリオ５４の具体的な構成例を示す。この図１１に示す制御シナリオ５４は、ネガワット制御に関するＰＩＤタイプの制御シナリオ５４の一例である。
【００７３】
この制御シナリオ５４では、リソースグループの情報（配列によりリソースを指示したリソースリストB｛｝）と、電力商品プロファイル（C｛｝）の指定を受け、電力商品の規定を満たすようなネガワットを、リソースグループで指定されたリソースを利用して創出する制御を規定している。ここでは、リソースグループの中で最も応答速度の早いリソースをＢ｛｝のリストの中から検索し、リソースＡとして識別する。リソースＡに対して、リソースグループ全体が創出するネガワットが、電力商品プロファイルでの規定と不一致する場合に、その不一致を補正するような制御運転を行うことを指示しることを規定する（setup(A)までのスクリプト）。
【００７４】
さらに、補正を行うＰＩＤ制御のパラメータＫｐ、Ｋｉ、ＫｄをリソースリストとリソースＡの特性を参照し、ナイキスト線図分析によるゲイン調整方法により決定する（sim_安定化（主たるリソース A, リソースリストB{}））。ネガワット受渡しの開始時刻から予告時間前になると、各々のリソースへ抑制制御が指示される（dispatch(B{}，商品プロファイルC）)。その後１０分間隔で、PIDタイプのフィードバック制御がリソースＡに対してなされる。前述のラメータＫｐ、Ｋｉ、ＫｄによるPID制御による補正操作量Ｘの算出が規定されている。算出された補正操作量ＸをリソースＡに送信することが規定されている。
【００７５】
他方、図１２は、上述のようにリソース管理装置３の記憶装置４３（図３）に保持される電力商品プロファイル５５の具体的な構成例を示す。電力商品プロファイル５５は、予告時間、ランプピリオド、量、開始時刻、ランダマイジ、継続時間、価格及び場所に関する各情報Ｄ１０〜Ｄ１７を含む。
【００７６】
このうち開始時刻（情報Ｄ１３）は、図１３に示すように、対応する電力商品を販売するコマの開始時刻を表す。また予告時間（情報Ｄ１０）は、開始時刻前に買い手側がアグリゲータ２に「予告」と呼ばれるタイミング信号（以下、これを予告信号と呼ぶ）を送信すべき時間を表し、量（情報Ｄ１２）は、その電力商品の電力量を表す。またランプピリオド（情報Ｄ１１）は、その電力商品の開始時刻から電力量がその電力商品の「量」に到達するまでの時間を表す。さらにランダマイジ（情報Ｄ１４）は開始時刻に対して実際に買い手にその電力商品の電力が提供されるまでの時間的なずれ量の範囲を表す。
【００７７】
また継続時間（情報Ｄ１５）は、その電力商品の継続時間（その電力商品が提供されるコマの合計時間）を表し、価格（情報Ｄ１６）は、アグリゲータ２が希望するその電力商品の単価（単位時間当たりの電気料金）を表す。さらに場所（情報Ｄ１７）は、アグリゲータ２がその電力商品を提供可能な場所を表す。
【００７８】
（３）ネガワット又はポジワットの創出に関するリソース管理装置及びＥＭＳ統括装置の処理
図１４は、アグリゲータ２がデマンドレスポンスによりネガワット又はポジワッを創出する際にリソース管理装置３及びＥＭＳ統括装置４において実行されるネガワット創出制御処理又はポジワット創出制御処理に関する、リソース管理装置３及びＥＭＳ統括装置４の機能構成を示す。図１４において、リソースグループ生成部１２０は、図３について上述したリソース管理装置３の記憶装置４３からメインメモリ４２に読み出されたリソースグループ生成プログラム５１をＣＰＵ４１が実行することにより生成される機能である。また制御条件受信部１２１、制御権確立部１２２及び制御指令部１２３は、それぞれ図４について上述したＥＭＳ統括装置４の記憶装置６３からメインメモリ６２に読み出された対応する制御条件受信プログラム６６、制御権確立プログラム６７又は制御指令プログラム６８をＣＰＵ６１が実行することにより生成される機能である。
【００７９】
アグリゲータ２が電力市場で電力商品の売り入札を行い、又は、電力小売業者５（図１）、配電管理業者７（図１）若しくは中給事業者９（図１）などから電力市場に出された電力商品の買い入札にアグリゲータ２が応札し、その売り入札又は買い入札が約定すると、リソース管理装置３のリソースグループ生成部１２０は、約定したその電力商品（以下、これを約定電力商品と呼ぶ）の条件をすべて満たすネガワット又はポジワットを創出するためにどのリソースＲＳ（ＲＳ１，ＲＳ２，……）とどのリソースＲＳとを組み合わせるべきかといった、約定電力商品に応じたネガワット又はポジワットを創出可能なリソースＲＳの組み合せ方を検討する。
【００８０】
この検討は、約定電力商品が、アグリゲータ２が電力市場に売り入札したネガワット又はポジワットである場合には、その約定電力商品に対応する電力商品プロファイル５５と、そのとき利用可能な各リソースＲＳのリソースプロファイル５３とに基づいて行われ、約定電力商品が、電力市場に出された買い入札にアグリゲータ２が応札したネガワットである場合には、アグリゲータ２が応札した約定電力商品の内容と、そのとき利用可能な各リソースＲＳのリソースプロファイル５３とに基づいて行われる。なお、電力市場に出される売り入札及び買い入札の内容は、図１２について上述した電力商品プロファイル５５の内容と同様である。
【００８１】
そしてリソースグループ生成部１２０は、かかる検討により組み合せるべきリソース群を選出すると、これらのリソース群により１つのリソースグループＲＧ（ＲＧ１，ＲＧ２，……）を生成し、生成したリソースグループＲＧを構成する各リソースＲＳの識別情報をリソースグループ情報としてＥＭＳ統括装置４に送信する。またリソースグループ生成部１２０は、かかる約定電力商品の電力取引形態に応じた制御シナリオ５４を選択し、選択した制御シナリオ５４のデータをＥＭＳ統括装置４に送信する。かくして、ＥＭＳ統括装置４の制御条件受信部１２１は、これらリソースグループ情報及び制御シナリオ５４のデータを受信すると、これらをメインメモリ６２（図４）に格納する。
【００８２】
一方、リソースグループ生成部１２０は、かかる約定電力商品の開始時刻の予告時間前にその約定電力商品の買い手側から上述の予告信号が与えられると、これをＥＭＳ統括装置４に転送する。そして、この予告信号を受信したＥＭＳ統括装置４の制御権確立部１２２は、メインメモリ６２に格納されているその約定電力商品について生成されたリソースグループ情報に基づいて、対応するリソースグループＲＧを構成する各リソースＲＳのＥＭＳ２４にアクセスし、そのリソースＲＳの制御権を確立する。
【００８３】
またＥＭＳ統括装置４の制御指令部１２３は、制御権確立部１２２が上述のようにして対応する各リソースＲＳの制御権を確立すると、その電力商品に対する制御スレッド１２４を生成する。かくして、このとき生成された制御スレッド１２４は、メインメモリ６２に格納されている対応するリソースグループ情報及び制御シナリオ５４のデータに基づいて、そのリソースグループＲＧを構成する各リソースＲＳのＥＭＳ２４を制御シナリオ５４に従って制御する。以上の処理により、約定電力商品に応じたネガワット又はポジワットが創出される。
【００８４】
図１５Ａ及び図１５Ｂは、以上のようなネガワット創出制御処理又はポジワット創出制御処理のうち、リソース管理装置３のリソースグループ生成部１２０により実行されるリソースグループ生成処理の処理手順を示す。リソースグループ生成部１２０は、この図１５Ａ及び図１５Ｂに示す処理手順に従って、ネガワット又はポジワットを創出するためのリソースグループＲＧとして、約定電力商品の各条件（予告時間、リードタイム、ランプピリオド、量及び時間帯など）を満たし、かつ、実施料が安いリソースＲＳを優先的に組み合せたリソースグループＲＧを生成する。
【００８５】
実際上、リソースグループ生成部１２０は、アグリゲータ２が電力市場で売り入札した電力商品（ネガワット又はポジワット）の売買が約定し又は電力市場でアグリゲータ２が応札した電力商品（ネガワット又はポジワット）の売買が約定すると、この図１５Ａ及び図１５Ｂに示すリソースグループ生成処理を開始し、まず、後述するカウンタ（以下、これをリソースグループ生成処理カウンタと呼ぶ）をリセットする。またリソースグループ生成部１２０は、この後、その約定電力商品を時間帯及び又は電力量で複数の電力商品に分割し（ＳＰ１）、かくして得られた分割後の個々の電力商品（以下、これを分割電力商品と呼ぶ）の中から１つの分割電力商品を選択する（ＳＰ２）。
【００８６】
続いて、リソースグループ生成部１２０は、記憶装置４３（図３）に格納されているリソースプロファイル５３（図３）の中から、分割電力商品の時間帯に稼働を制御可能なすべてのリソース（以下、これを候補リソースと呼ぶ）ＲＳ（図１４）のリソースプロファイル５３（図１０）を読み出す（ＳＰ３）。
【００８７】
次いで、リソースグループ生成部１２０は、ステップＳＰ３において読み出した各リソースプロファイル５３を参照して、実施料が安い順に候補リソースＲＳを並べたリスト（以下、これを実施料順リストと呼ぶ）を作成する（ＳＰ４）。またリソースグループ生成部１２０は、これと併せて、後述する仮リストをリセットする。
【００８８】
さらにリソースグループ生成部１２０は、上述のようにして作成した実施料リストに登録された候補リソースＲＳのうち、仮リストに登録されておらず、かつ実施料リスト上の順位が最も高い候補リソースＲＳを仮リストに登録する（ＳＰ５）。
【００８９】
続いて、リソースグループ生成部１２０は、仮リストに登録された各候補リソースＲＳのリソースプロファイルをそれぞれ参照して、これら候補リソースＲＳの想定制御量（図１０参照）の合計値を、仮リストに登録された各候補リソースＲＳの総制御量として算出し（ＳＰ６）、この後、ステップＳＰ６において算出した総制御量が、かかる分割電力商品の量よりも所定の予備電力量だけ多い、当該分割電力商品に応じた量に到達したか否かを判断する（ＳＰ７）。
【００９０】
リソースグループ生成部１２０は、この判断で否定結果を得るとステップＳＰ５に戻り、この後、ステップＳＰ５〜ステップＳＰ７の処理を繰り返す。そしてリソースグループ生成部１２０は、やがて仮リストに登録された候補リソースＲＳの総制御量が分割電力商品に応じた電力量に到達することによりステップＳＰ７において肯定結果を得ると、その仮リストに登録されているすべての候補リソースＲＳにより１つのリソースグループＲＧ（図１４）を生成した場合に、そのリソースグループＲＧ全体として創出されるネガワット又はポジワットのランプピリオドが、分割電力商品のランプピリオドと一致するか否かを判断する（ＳＰ８）。
【００９１】
リソースグループ生成部１２０は、この判断で否定結果を得ると、実施料リストに登録されている候補リソースＲＳを、そのランプピリオドの短い順に並べたリスト（以下、これをランプピリオド順リストと呼ぶ）を作成する（ＳＰ９）。
【００９２】
続いて、リソースグループ生成部１２０は、仮リストに登録されているすべての候補リソースＲＳにより１つのリソースグループＲＧを生成した場合に、そのリソースグループＲＧ全体として創出されるネガワット又はポジワットのランプピリオドが分割電力商品のランプピリオドに近づくように、仮リストに登録されている１つの候補リソースＲＳをランプピリオド順リストに登録されている他の候補リソースＲＳに差し替える（ＳＰ１０）。
【００９３】
具体的に、リソースグループ生成部１２０は、ステップＳＰ１０において、仮リストに登録されているすべての候補リソースＲＳにより１つのリソースグループＲＧを生成した場合に、そのリソースグループＲＧ全体として創出されるネガワット又はポジワットのランプピリオドが分割電力商品のランプピリオドよりも短い場合には、仮リストに登録された候補リソースＲＳの中からランプピリオドが最も短い候補リソースＲＳを差替え対象として選択する。以下においては、差替え対象として選択された候補リソースＲＳを差替え対象リソースＲＳと呼ぶ。そしてリソースグループ生成部１２０は、ランプピリオド順リストに登録されているが仮リストには登録されていない候補リソースＲＳの中から、想定制御量が差替え対象リソースＲＳと同じ又はほぼ同じで、ランプピリオドが最も長く、かつランプピリオドが同じ場合には実施料が最も安い候補リソースＲＳを選択し、選択した候補リソースＲＳを差替え対象リソースＲＳと差し替えるようにして仮リストに登録する。
【００９４】
またリソースグループ生成部１２０は、ステップＳＰ１０において、仮リストに登録されているすべての候補リソースＲＳにより１つのリソースグループＲＧを生成した場合に、そのリソースグループＲＧ全体として創出されるネガワット又はポジワットのランプピリオドが分割電力商品のランプピリオドよりも長い場合には、仮リストに登録された候補リソースＲＳの中からランプピリオドが最も長い候補リソースＲＳを差替え対象リソースＲＳとして選択する。そしてリソースグループ生成部１２０は、ランプピリオド順リストに登録されているが仮リストには登録されていない候補リソースＲＳの中から、想定制御量が差替え対象リソースＲＳと同じ又はほぼ同じで、ランプピリオドが最も短く、かつランプピリオドが同じ場合には実施料が最も安い候補リソースＲＳを選択し、選択した候補リソースＲＳを差替え対象リソースＲＳと差し替えるようにして仮リストに登録する。
【００９５】
この後、リソースグループ生成部１２０は、ステップＳＰ８に戻り、仮リストに登録されているすべての候補リソースＲＳにより１つのリソースグループＲＧを生成した場合に、そのリソースグループＲＧ全体として創出されるネガワット又はポジワットのランプピリオドが、分割電力商品のランプピリオドと一致するか否かを再度判断する（ＳＰ８）。
【００９６】
そしてリソースグループ生成部１２０は、この判断で否定結果を得ると、この後、ステップＳＰ８〜ステップＳＰ１０の処理を繰り返す。以上の処理を繰り返すことにより、仮リストに登録されているすべての候補リソースＲＳにより１つのリソースグループＲＧを生成した場合に、そのリソースグループＲＧ全体として創出されるネガワット又はポジワットのランプピリオドが分割電力商品のランプピリオドに近づいてゆく。
【００９７】
そしてリソースグループ生成部１２０は、やがてステップＳＰ８において肯定結果を得ると、そのとき仮リストに登録されているすべての候補リソースＲＳにより１つのリソースグループＲＧを生成した場合に、そのリソースグループＲＧ全体として創出されるネガワット又はポジワットの予告時間が分割電力商品の予告時間と一致するか否かを判断する（ＳＰ１１）。
【００９８】
リソースグループ生成部１２０は、この判断で否定結果を得ると、実施料リストに登録されているが仮リストには登録されていない候補リソースＲＳを、そのリードタイムの短い順に並べたリスト（以下、これをリードタイム順リストと呼ぶ）を作成する（ＳＰ１２）。
【００９９】
続いて、リソースグループ生成部１２０は、仮リストに登録されているすべての候補リソースＲＳにより１つのリソースグループＲＧを生成した場合に、そのリソースグループＲＧ全体として創出されるネガワット又はポジワットの予告時間が分割電力商品の予告時間に近づくように、仮リストに登録されている１つの候補リソースＲＳをランプピリオド順リストに登録されている他の候補リソースＲＳに差し替える（ＳＰ１３）。
【０１００】
具体的に、リソースグループ生成部１２０は、ステップＳＰ１３において、仮リストに登録されているすべての候補リソースＲＳにより１つのリソースグループＲＧを生成した場合に、そのリソースグループＲＧ全体として創出されるネガワット又はポジワットの予告時間が分割電力商品の予告時間よりも短い場合には、仮リストに登録された候補リソースＲＳの中から最もリードタイムが短い候補リソースＲＳを差替え対象リソースＲＳとして選択する。そしてリソースグループ生成部１２０は、リードタイム順リストに登録されているが仮リストには登録されていない候補リソースＲＳの中から、想定制御量が差替え対象リソースＲＳと同じ又はほぼ同じで、リードタイムが最も長く、かつリードタイムが同じ場合には実施料が最も安い候補リソースＲＳを選択し、選択した候補リソースＲＳを差替え対象リソースＲＳと差し替えるようにして仮リストに登録する。
【０１０１】
またリソースグループ生成部１２０は、ステップＳＰ１３において、仮リストに登録されているすべての候補リソースＲＳにより１つのリソースグループＲＧを生成した場合に、そのリソースグループＲＧ全体として創出されるネガワット又はポジワットの予告時間が分割電力商品の予告時間よりも長い場合には、仮リストに登録された候補リソースＲＳの中から最もリードタイムが長い候補リソースＲＳを差替え対象リソースＲＳとして選択する。そしてリソースグループ生成部１２０は、リードタイム順リストに登録されているが仮リストには登録されていない候補リソースＲＳの中から、想定制御量が差替え対象リソースＲＳと同じ又はほぼ同じで、リードタイムが最も短く、かつリードタイムが同じ場合には実施料が最も安い候補リソースＲＳを選択し、選択した候補リソースＲＳを差替え対象リソースＲＳと差し替えるようにして仮リストに登録する。
【０１０２】
この後、リソースグループ生成部１２０は、ステップＳＰ１１に戻り、仮リストに登録されているすべての候補リソースＲＳにより１つのリソースグループＲＧを生成した場合に、そのリソースグループＲＧ全体として創出されるネガワット又はポジワットのリードタイムが分割電力商品のリードタイムと一致するか否かを再度判断する（ＳＰ１１）。
【０１０３】
リソースグループ生成部１２０は、この判断で否定結果を得ると、この後、ステップＳＰ１１〜ステップＳＰ１３の処理を繰り返す。以上の処理を繰り返すことにより、仮リストに登録されているすべての候補リソースＲＳにより１つのリソースグループＲＧを生成した場合に、そのリソースグループＲＧ全体として創出されるネガワット又はポジワットのリードタイムが分割電力商品のリードタイムに近づいてゆく。
【０１０４】
そしてリソースグループ生成部１２０は、やがてステップＳＰ１１において肯定結果を得ると、そのとき仮リストに登録されているすべての候補リソースＲＳにより１つのリソースグループＲＧを生成した場合に、そのリソースグループＲＧ全体として創出されるネガワット又はポジワットの量、ランプピリオド及びリードタイムのすべてが、分割電力商品の量、ランプピリオド及びリードタイムとそれぞれ一致するか否かを判断する（ＳＰ１４）。
【０１０５】
そしてリソースグループ生成部１２０は、この判断で否定結果を得ると、上述したリソースグループ生成処理カウンタを１つカウントアップさせた後（ＳＰ１５）、当該リソースグループ生成処理カウンタのカウント値が予め定められた閾値に達したか否かを判断する（ＳＰ１６）。
【０１０６】
ここで、このステップＳＰ１６で否定結果を得ることは、分割電力商品と量、ランプピリオド及びリードタイムが一致するネガワット又はポジワットを創出し得るリソースグループＲＧの生成には失敗したが、当該リソースグループＲＧを生成しようとする試みの回数がまた既定回数（閾値と同じ回数）には達していないことを意味する。かくして、このときリソースグループ生成部１２０は、ステップＳＰ８に戻り、この後、ステップＳＰ８以降の処理をリトライする。
【０１０７】
これに対して、ステップＳＰ１６で否定結果を得ることは、分割電力商品と量、ランプピリオド及びリードタイムが一致するネガワット又はポジワットを創出し得るリソースグループＲＧの生成を既定回数実行したが、そのようなリソースグループＲＧを生成できなかったことを意味する。かくして、このときリソースグループ生成部１２０は、ディスプレイ４７（図３）に警告を表示するなどして、アグリゲータ２にその旨を通知し（ＳＰ１７）、この後、このリソースグループ生成処理を終了する。
【０１０８】
一方、リソースグループ生成部１２０は、ステップＳＰ１４の判断で肯定結果を得ると、そのときの仮リストを本リストに確定し（ＳＰ１８）、この後、すべての分割電力商品についてステップＳＰ２以降の処理を実行し終えたか否かを判断する（ＳＰ１９）。
【０１０９】
そしてリソースグループ生成部１２０は、この判断で否定結果を得るとステップＳＰ２に戻り、この後、ステップＳＰ２において選択する分割電力商品を、未処理の他の分割電力商品に切り替えながら、ステップＳＰ２以降の処理を繰り返す。
【０１１０】
そしてリソースグループ生成部１２０は、やがてすべての分割電力商品についての本リストを得ることによりステップＳＰ１９で肯定結果を得ると、以上のようにして得られた本リストを上述のリソースグループ情報として、これらのリソースグループ情報と、制御シナリオ５４（図１１）のデータとをＥＭＳ統括装置４に送信すると共に、これらリソースグループ情報及び制御シナリオ５４に従ったデマンドレスポンスの実行をＥＭＳ統括装置４に依頼する（ＳＰ２０）。そしてリソースグループ生成部１２０は、この後、このリソースグループ生成処理を終了する。
【０１１１】
（４）ネガワットの取引の流れ
次に、以上のようなリソース管理装置３及びＥＭＳ統括装置４によるネガワット創出制御処理及びポジワット創出制御処理のうちのネガワット創出制御処理について、中給事業者９（図１）、電力小売業者５（図１）又は配電管理業者７（図１）が電力市場に電力商品の買い入札を行い、その買い入札にアグリゲータ２が応札する場合を例として、より詳細に説明する。
【０１１２】
（４−１）アグリゲータ及び発電事業者間のネガワット取引の流れ
中給事業者９は、アグリゲータ２（図１）や電力小売業者５（図１）及び需要家などと事前に約定した電力量の総量に応じた量の電力を発電するが、上述のように供給予備率分の電力が不足すると推定した場合には、電力市場にコマ単位で電力商品の買い入札を行う。
【０１１３】
図１６は、このように中給事業者９が電力市場に電力商品の買い入札を行い、その買い入札にアグリゲータ２が応札する場合の一連の処理の流れを示す。
【０１１４】
中給事業者９の電力中央指令装置１０は、天候情報や過去の統計などに基づいてコマごとの供給予備率の予測値を計算し、算出したコマごとの供給予備率の予測値と、既に約定されている販売済みの電力商品の合計電力量とに基づいて供給予備率を逐次予測する（ＳＰ３０）。そして電力中央指令装置１０は、供給予備率が閾値を下回った場合、電力市場装置１２に電力商品の買い入札を行う（ＳＰ３１）。
【０１１５】
一方、アグリゲータ２側では、デマンドレスポンスプログラムに参加登録した各需要家２０側にそれぞれ設置されたＥＭＳ２４から、対応するリソースＲＳ（図１４）のリソースプロファイル５３のデータがＥＭＳ統括装置４に定期的（例えば１日ごと）に送信される（ＳＰ３２）。なお、このように各ＥＭＳ２４からリソースプロファイル５３が定期的にＥＭＳ統括装置４に送信されるのは、リソースＲＳの物理的な特性が経時変化するからである。
【０１１６】
そしてＥＭＳ統括装置４は、受信したリソースプロファイル５３のデータをリソース管理装置３に転送する（ＳＰ３３）。またリソース管理装置３は、転送されてきたリソースプロファイル５３のデータに基づいて、対応するリソースファイル５３を最新の情報に更新する（ＳＰ３４）。
【０１１７】
他方、リソース管理装置３は、電力市場における電力商品の買い入札を常時監視しており、上述のように中給事業者９からの電力商品の買い入札があったときには、その買い入札に対して同じ電力商品を売り入札（応札）する応札処理を実行する（ＳＰ３５）。
【０１１８】
そして電力市場装置１２は、かかるアグリゲータ２の応札により、中給事業者９からの電力商品の買い入札と、アグリゲータ２の売り入札とをマッチングし、電力取引を約定させる約定処理を実行する。また電力市場装置１２は、このときの約定された電力商品（約定電力商品）の内容を約定データとして電力中央指令装置１０及びリソース管理装置３に送信する（ＳＰ３６）。
【０１１９】
リソース管理装置３は、かかる約定データを受信すると、図１５Ａ及び図１５Ｂについて上述したリソースグループ生成処理を実行することにより、その約定電力商品の時間帯（中給事業者９が電力を買い取る時間帯）に稼働を制御可能なリソースＲＳの中から、１又は複数のリソースＲＳを選択してリソースグループＲＧを生成する（ＳＰ３８）。
【０１２０】
またリソース管理装置３は、そのリソースグループＲＧについて使用すべき制御シナリオ５４を選択し、選択した制御シナリオ５４のデータと、上述のようにして生成したリソースグループＲＧのリソースグループ情報とをＥＭＳ統括装置４に送信する（ＳＰ３８）。かくして、ＥＭＳ統括装置４は、かかるリソースグループ情報及び制御シナリオ５４のデータを受信すると、これらをメインメモリ６２（図４）に格納する。
【０１２１】
この後、電力中央指令装置１０は、約定電力商品の開始時刻よりも予告時間だけ早い時刻となると、上述の予告信号をリソース管理装置３に送信する（ＳＰ３９）。またリソース管理装置３は、かかる予告信号を受信すると、これをＥＭＳ統括装置４に転送する（ＳＰ４０）。
【０１２２】
そしてＥＭＳ統括装置４は、かかる予告信号を受信すると、メインメモリ６２に格納されている対応する制御シナリオ５４をデコードし（ＳＰ４１）、デコードした制御シナリオ５４に従って、対応するリソースグループＲＧを構成する各リソースＲＳのＥＭＳ２４の制御権を確立するアクティベーションを実行する（ＳＰ４２）。
【０１２３】
かくして、かかるリソースグループＲＧを構成する各リソースＲＳのＥＭＳ２４は、ＥＭＳ統括装置４の指示に従って、対応するリソースＲＳの制御パラメータを変更することによりそのリソースＲＳの稼働率を低減させる。これによりそのリソースＲＳの消費電力量が低減されてネガワットが創出される。またＥＭＳ２４は、このとき電気メータ２２Ａ〜２２Ｄ（図１）を参照することにより認識される、そのとき創出されたネガワットの電力量を実行データとしてＥＭＳ統括装置４に送信する（ＳＰ４３）。
【０１２４】
ＥＭＳ統括装置４は、対応する各ＥＭＳ２４からそれぞれ送信される実行データに基づいて、そのとき創出されたネガワットの総量（総電力量）を算出する。またＥＭＳ統括装置４は、算出したネガワットの総量と、約定電力商品の量（電力量）とを比較し、そのとき創出されたネガワットの総量が、約定電力商品の量と一致しているか否かを判定する。
【０１２５】
そしてＥＭＳ統括装置４は、そのとき創出されたネガワットの総量が、約定電力商品の量と一致していない（つまりそのとき創出しているネガワットの総量が約定電力商品の量よりも多い又は少ない）と判定した場合には、過剰分又は不足分の電力量を算出し（ＳＰ４４）、算出した電力量分だけそのとき創出しているネガワットの総量を低減又は増加させるように、対応するリソースグループＲＧを構成する一部又は全部のリソースＲＳのＥＭＳ２４に、リソースＲＳの制御パラメータを再度変更するよう指示を与える（ＳＰ４６）。
【０１２６】
アグリゲータ２側では、以上のステップＳＰ４３〜ステップＳＰ４６の処理を、対応するリソースグループＲＧにおいてネガワットの創出を開始してから10分周期で繰り返す。これにより、かかる約定電力商品の時間帯中は、そのリソースグループＲＧにおいて創出されるネガワットの総量がその約定電力商品の量と一致するよう制御されることになる。
【０１２７】
そしてＥＭＳ統括装置４は、やがて約定電力商品の時間帯が経過すると、対応するリソースグループＲＧを構成する各リソースＲＳのＥＭＳ２４に、対応するリソースＲＳの制御パラメータを元に戻す（つまりそのリソースＲＳの稼働状態を元の状態に戻す）よう指示を与え（ＳＰ４７）、この後、上述のステップＳＰ４３において対応するＥＭＳ２４からそれぞれ送信されてきた各実行データのログ情報を実行ログデータとしてリソース管理装置３に送信する（ＳＰ４８）。
【０１２８】
またリソース管理装置３は、かかる実行ログデータを受信すると、この実行ログデータをコマごとに集約した検証データを生成する検証データ生成処理を実行し、生成した検証データを電力中央指令装置１０に送信する（ＳＰ４９）。かくして電力中央指令装置１０は、リソース管理装置３から送信されてきた検証データに基づいて、買い入札を行った上述の約定電力商品に応じたネガワットがアグリゲータ２から提供されたかを検証する。
【０１２９】
以上により、中給事業者９及びアグリゲータ２間におけるネガワットの取引が終了する。
【０１３０】
（４−２）アグリゲータ及び電力小売業者間のネガワット取引の流れ
電力小売業者５（図１）は、自己に課せられている容量確保義務（契約している需要家が必要とする電力を、通年を通して確保する義務）に対して、確保している通年での電力量が各需要家２０とそれぞれ契約している電力量の総量よりも少なく、年間のうちの数日間において販売する電力が不足したときに問題となる容量確保の不足を解消するため、上述のように需要家２０全体のコマごとの需要電力量を予測し、予測した需要電力量に対して現在確保している電力量では不足すると判定した場合には、電力市場に不足電力量分の買い入札を行う。これにより、複数の電力小売業者５に対して年間の最大需要日における販売電力量に比例して配電設備費用を負担させる配電原価負担制度に対して、最大需要日における販売電力量を抑制することで配電原価負担を有利にすることができる。
【０１３１】
図１７は、このように電力小売業者５が電力市場に電力商品の買い入札を行い、その買い入札にアグリゲータ２が応札する場合の一連の処理の流れを示す。
【０１３２】
電力小売業者５の電力小売装置６は、天候情報や過去の統計などに基づいて需要家２０全体のコマごとの不足電力量を推定し（ＳＰ５０）、不足電力が発生するコマについての買い入札を電力市場で不行う（ＳＰ５１）。
【０１３３】
また電力小売装置６は、天候情報や過去の統計などに基づいて、所定のタイミングで本日が、年間を通じて電力需要が最大となる日（以下、これを電力需要最大日）であるか否かを判断し（ＳＰ５２）、本日が電力需要最大日であると判断した場合には、電力市場に不足すると推定される電力分の買い入札を電力市場で行う（ＳＰ５３）。
【０１３４】
そしてこの買い入札に対してリソース管理装置３が応札する応札処理を行うと（ＳＰ５４）、この後、図１６のステップＳＰ３６〜ステップＳＰ４９について上述した処理と同様の処理が実行される（ステップＳＰ５５〜ステップＳＰ６７）。このようにして、アグリゲータ２及び電力小売業者５間のネガワットの取引が行われる。
【０１３５】
（４−３）アグリゲータ及び配電管理業者間のネガワット取引の流れ
配電管理業者７（図１）の配電管理装置８は、電線の容量を超える電流が流れるほどの需要が発生している場合、超過した電流分の電力の買い入札を電力市場で行うことにより、電線に当該電線の容量を超過する電流が流れるのを抑制する。
【０１３６】
図８は、このように配電管理業者７が電力市場に電力商品の買い入札を行い、その買い入札にアグリゲータ２が応札する場合の一連の処理の流れを示す。
【０１３７】
配電管理業者７の配電管理装置８は、いずれかの地域について電線を流れる電流量がその電線の容量を超過していることを検出すると、超過分の電流に応じた電力の買い入札を電力市場において行う。
【０１３８】
そしてこの買い入札に対してリソース管理装置３が応札する応札処理を行うと、この後、図１６のステップＳＰ３６〜ステップＳＰ４９について上述した処理と同様の処理が実行される（ステップＳＰ７３〜ステップＳＰ８５）。このようにして、アグリゲータ２及び配電管理業者７間のネガワットの取引が行われる。
【０１３９】
（５）本実施の形態の効果
以上のように本実施の形態による電力取引システム１では、リソース管理装置３が、リソースＲＳの特性に関する情報と、そのリソースＲＳに関してアグリゲータ２（図１）及び需要家２０（図１）間で締結したデマンドレスポンスプログラムの契約に関する情報となどが記述された、リソースＲＳごとのリソースプロファイル５３を保持しており、このリソースＲＳごとのリソースプロファイル５３に基づいて、電力商品の条件を満たすネガワット又はポジワットを創出可能なリソースグループＲＧを生成し、このリソースグループＲＧを構成する各リソースＲＳを制御シナリオ５４に従って制御するため、電力市場における様々な要求に応じたネガワット又はポジワットを短時間にかつ容易に創出し、提供することができる。かくするにつき、再生エネルギーによる発電力の拡大に伴う電力需要バランスの不安定化や電力価格のボラティリティの拡大を抑制することができる。
【０１４０】
（６）他の実施の形態
なお上述の実施の形態においては、本発明を図１のように構成された電力取引システム１に適用するようにした場合について述べたが、本発明はこれに限らず、この他種々の構成を有する電力取引システムに広く適用することができる。
【０１４１】
また上述の実施の形態においては、リソース管理装置３及びＥＭＳ統括装置４を別個に構成するようにした場合について述べたが、本発明はこれに限らず、これらの機能を１つの装置（例えばコンピュータ装置）に搭載するようにしても良い。
【０１４２】
さらに上述の実施の形態においては、ネガワットを創出する際に利用するリソースプロファイル５３と、ポジワットを創出する際に利用するリソースプロファイル５３と併用するようにした場合について述べたが、本発明はこれに限らず、これら別個に用意して記憶装置４３に格納しておき、ネガワットを創出する際にはネガワット用のリソースプロファイル５３を利用し、ポジワットを創出する際にはポジワット用のリソースプロファイル５３を利用するようにしても良い。なお、現実的には、ネガワットを創出する際のリソースＲＳのランプピリオド等の特性と、ポジワットを創出する際のリソースＲＳのランプピリオド等の特性とは異なるため、ネガワットを創出する際に利用するリソースプロファイル５３と、ポジワットを創出する際に利用するリソースプロファイル５３とを別個に用意する必要がある。
【産業上の利用可能性】
【０１４３】
本発明は電力取引システムに適用することができる。
【符号の説明】
【０１４４】
１……電力取引システム、２……アグリゲータ、３……リソース管理装置、４……ＥＭＳ統括装置、５……電力小売業者、６……電力小売装置、７……配電管理業者、８……配電管理装置、９……中給事業者、１０……電力中央指令装置、１２……電力市場装置、１３……発電事業者、１４……発電装置、２０，２０Ａ〜２０Ｄ……需要家、２３Ａ〜２３Ｄ……熱源機、２４，２４Ａ〜２４Ｄ……ＥＭＳ、４１，６１，１１１Ａ，１１１Ｂ……ＣＰＵ、５１……リソースグループ生成プログラム、５２……制御シナリオ選択プログラム、５３……リソースプロファイル、５４……制御シナリオ、５５……電力商品プロファイル、６８……制御指令プログラム、１１７Ａ……ＨＰ制御パラメータ変更プログラム、１１７Ｂ……ＣＨＰ制御パラメータ変更プログラム、１２０……リソースグループ生成部、１２３……制御指令部、ＲＧ……リソースグループ、ＲＳ……リソース。
【図１】
0005944574.tif 000002
【図２】
0005944574.tif 000003
【図３】
0005944574.tif 000004
【図４】
0005944574.tif 000005
【図５】
0005944574.tif 000006
【図６】
0005944574.tif 000007
【図７】
0005944574.tif 000008
【図８】
0005944574.tif 000009
【図９】
0005944574.tif 000010
【図１０】
0005944574.tif 000011
【図１１】
0005944574.tif 000012
【図１２】
0005944574.tif 000013
【図１３】
0005944574.tif 000014
【図１４】
0005944574.tif 000015
【図１５Ａ】
0005944574.tif 000016
【図１５Ｂ】
0005944574.tif 000017
【図１６】
0005944574.tif 000018
【図１７】
0005944574.tif 000019
【図１８】
0005944574.tif 000020